(57)【要約】【課題】これまでの概念を打ち破り、キューレットを無くすことで新たな美的価値を作り出し、意外性や面白みを生じさせることができる宝石類のカット構造を提供する。【解決手段】クラウン２の頂部に覗き面２１を形成し、覗き面２１に対向させてパビリオン３の下部に装飾面３１を形成する。これにより、クラウン２側から見たとき、クラウン２の覗き面２１からパビリオン３の装飾面３１を視認できる。また、クラウン２の覗き面２１よりもパビリオン３の装飾面３１の方が小さい。このため、覗き面２１から宝石の内部に進入した光は、装飾面３１を囲って形成されたパビリオン３側のファセット３２に反射し、それが覗き面２１を囲って形成されたクラウン２側のファセット２２に反射し、宝石の内部に輝きを生じさせる。この結果、クラウン２の覗き面２１から視認されるパビリオン３の装飾面３１は、輝きの中に浮かび上がるように見える。【選択図】図１
0003172656.tif 000002
【実用新案登録請求の範囲】
【請求項１】
上窄まりのクラウンと、下窄まりのパビリオンと、該パビリオンと前記クラウンとの間に位置するガードルとを備えた宝石類のカット構造であって、
前記クラウンの頂部に覗き面を形成すると共に、前記パビリオンの下部に前記覗き面を通じて視認される装飾面を前記覗き面と対向させて前記覗き面よりも小さく形成し、
前記クラウンに前記覗き面を囲んで複数のファセットを形成し、前記パビリオンに前記装飾面を囲んで複数のファセットを形成した
ことを特徴とする宝石類のカット構造。
【請求項２】
前記覗き面、前記装飾面及び前記ガードルの夫々の輪郭形状が等しい
請求項１に記載の宝石類のカット構造。
【請求項３】
前記輪郭形状がハート形であり、
前記覗き面と前記装飾面とが平行であり、
前記覗き面に直交する方向から見て前記装飾面が前記覗き面に内包されている
請求項２に記載の宝石類のカット構造。
【考案の詳細な説明】
【技術分野】
【０００１】
本考案は、上窄まりに形成されたクラウンと、下窄まりに形成されたパビリオンと、これらパビリオンとクラウンとの間に位置するガードルとを備えた宝石類のカット構造に関する。
【背景技術】
【０００２】
宝石類のカット構造として、ファセットカット（Facet Cut）と、カボションカット（Cabochon Cut）とが知られている。
【０００３】
カボションカットは、石の上部をドーム状にカーブした形状に研磨し、光の反射ではなく石そのものの光沢や文様を生かすカットであり、主に、半透明石、不透明石、低屈折性石等、内部からの輝きを求めることが困難な石に用いられる。なお、カボションとは、フランス語で爪の意味である。
【０００４】
一方、ファセットカットは、主に透明石（有色透明石を含む）に用いられ、石の表面に角度の異なる多数の面（ファセット）を連ならせて形成することで、石に進入した光を屈折・反射させ、石が内部から輝いているように見せるカットである。カットされる夫々の面（ファセット）の形状や配置は、石の結晶、内部構造、物理的性質等を考慮して決定され、石の表面の光沢と内部からの輝きを強調するようになっている。
【０００５】
ファセットカットで重要な点は、光の反射・屈折を的確に利用することである。このため、図４に示すように、ファセットカットが施された宝石ｊは、一般に、頂部にフラットなテーブルｔが形成されたクラウンｃｒと、下部に尖ったキューレットｃｕが形成されたパビリオンｐと、クラウンｃｒとパビリオンｐとの間に位置するガードルｇとを備え、上方から見てテーブルｔの内方にキューレットｃｕが位置するようになっている。そして、クラウンｃｒのテーブルｔを除いた部分に複数のファセットｆｃが連なって形成され、パビリオンｐに複数のファセットｆｐが連なって形成されている（特許文献１〜３参照）。
【０００６】
このようなカット構造（ファセットカット）によれば、クラウンｃｒのテーブルｔから宝石内に進入した光がパビリオンｐ側のキューレットｃｕを頂点とする複数のファセットｆｐで反射され、それがクラウンｃｒ側の複数のファセットｆｃで反射され、パビリオン側ファセットｆｐとクラウン側ファセットｆｃとの間で反射が繰り返されることで、クラウンｃｒ側から見たときに内部に綺麗な輝きを生じさせることができる。
【先行技術文献】
【特許文献】
【０００７】
【特許文献１】特開２００５−７３７１９号公報
【特許文献２】特開２００６−２１８１６３号公報
【特許文献３】特開２００７−２５２６８４号公報
【考案の概要】
【考案が解決しようとする課題】
【０００８】
ところで、これまでキューレットｃｕは、宝石に進入した光を反射させるために、必要不可欠であると考えられていた。すなわち、キューレットｃｕが無いとテーブルｔから宝石内に進入した光が反射することなくそのまま真っ直ぐに突き抜けてしまい、輝きを得ることができない。このため、キューレットｃｕを無くすことは、これまでの宝石学の概念ではタブーとされてきた。しかし、キューレットｃｕを有するカット構造では、クラウン側ファセットｆｃやパビリオン側ファセットｆｐの形状や角度に工夫を凝らしたとしても、従来のものとそれ程代わり映えせず、意外性に欠け、面白みを生じさせることが困難であった。
【０００９】
以上の事情を考慮して創案された本考案の目的は、これまでの概念を打ち破り、キューレットを無くすことで新たな美的価値を作り出し、意外性や面白みを生じさせることができる宝石類のカット構造を提供することにある。
【課題を解決するための手段】
【００１０】
上記目的を達成するために創案された本考案は、上窄まりのクラウンと、下窄まりのパビリオンと、パビリオンとクラウンとの間に位置するガードルとを備えた宝石類のカット構造であって、クラウンの頂部に覗き面を形成すると共に、パビリオンの下部に覗き面を通じて視認される装飾面を覗き面と対向させて覗き面よりも小さく形成し、クラウンに覗き面を囲んで複数のファセットを形成し、パビリオンに装飾面を囲んで複数のファセットを形成したことを特徴とする宝石類のカット構造である。
【００１１】
また、本考案の宝石類のカット構造は、上述した覗き面、装飾面及びガードルの夫々の輪郭形状が等しいことが好ましい。
【００１２】
また、本考案の宝石類のカット構造は、上述した輪郭形状がハート形であり、覗き面と装飾面とが平行であり、覗き面に直交する方向から見て装飾面が覗き面に内包されていることが好ましい。
【考案の効果】
【００１３】
本考案に係る宝石類のカット構造によれば、クラウンの頂部に覗き面を形成すると共に、この覗き面と対向するようにしてパビリオンの下部に装飾面を形成している。このため、クラウン側から見たとき、クラウンの覗き面からパビリオンの装飾面を視認できる。
【００１４】
加えて、クラウンの覗き面よりもパビリオンの装飾面の方が小さいため、覗き面から内部に進入した光は、装飾面を囲って形成された複数のパビリオン側のファセットに反射し、それが覗き面を囲って形成された複数のクラウン側のファセットに反射し、パビリオン側ファセットとクラウン側ファセットとの間で反射を繰り返すことで、内部に輝きを生じさせる。この結果、クラウンの覗き面から視認されるパビリオンの装飾面は、輝きの中に浮かび上がるように見える。
【００１５】
このように、本考案に係る宝石類のカット構造によれば、これまでの概念を打ち破り、パビリオンの下部からキューレットを無くすことで新たな美的価値を作り出し、意外性や面白みを生じさせることができる。
【図面の簡単な説明】
【００１６】
【図１】（ａ）は本考案の第１実施形態に係る宝石類のカット構造を示す正面図、（ｂ）は同じく側面図、（ｃ）は同じく裏面図である。
【図２】第１実施形態に係る宝石類のカット構造を斜めから見た斜視図である。
【図３】本考案の第２実施形態に係る宝石類のカット構造を斜めから見た斜視図である。
【図４】従来例を示すファセットカットが施された宝石の側面図である。
【考案を実施するための形態】
【００１７】
以下に添付図面を参照しながら、本考案の好適な実施形態について詳細に説明する。なお、本明細書及び図面において、実質的に同一の機能、構成を有する要素については、同一の符号を付することにより重複説明を省略し、また本考案に直接関係のない要素は図示を省略する。
【００１８】
（第１実施形態）
図１及び図２に本考案の第１実施形態に係る宝石類のカット構造１を示す。図１（ａ）は宝石類のカット構造１を示す正面図、（ｂ）は同じく側面図、（ｃ）は同じく裏面図、図２は宝石類のカット構造１の斜視図である。本実施形態に係る宝石類のカット構造１は、上窄まりに形成されたクラウン２と、下窄まりに形成されたパビリオン３と、パビリオン３とクラウン２との間に位置するガードル４とを備えている。
【００１９】
クラウン２の頂部には、覗き面２１が形成されており、パビリオン３の下部には、覗き面２１を通じて視認される装飾面３１が、覗き面２１と対向するようにして形成されている。すなわち、本考案においては、従来、必要不可欠であると思われていたキューレットｃｕ（図４参照）をパビリオン３の下部から無くし、パビリオン３の下部に、底面として装飾面３１を形成している。
【００２０】
装飾面３１は、覗き面２１よりも小さく形成されており、覗き面２１から視認可能となっている。すなわち、このカット構造１が適用される宝石類には、覗き面２１から装飾面３１を視認できるような、透明な石が用いられる。ここで、透明とは、無色透明の他、有色透明も含む概念である。有色透明には、ブルー、レッド、ピンク、グリーン、イエロー等の様々な色が含まれる。
【００２１】
覗き面２１、装飾面３１及びガードル４の夫々の輪郭形状は、本実施形態においては、同じ向きのハート形に形成されている。夫々の輪郭形状は、大きい順に、ガードル４、覗き面２１、装飾面３１となる。覗き面２１と装飾面３１とは、平坦且つ平行に形成されており、覗き面２１と直交する方向から見た際、装飾面３１が覗き面２１に内包されるように形成されている。
【００２２】
クラウン２には、覗き面２１を除く部分に、覗き面２１を囲むようにして複数のファセット２２が形成され、パビリオン３には、装飾面３１を除く部分に、装飾面３１を囲むようにして複数のファセット３２が形成されている。
【００２３】
（作用・効果）
本実施形態に係る宝石類のカット構造１によれば、クラウン２の頂部に覗き面２１を形成すると共に、この覗き面２１と対向するようにしてパビリオン３の下部に装飾面３１を形成している。このため、クラウン２側から見たとき、クラウン２の覗き面２１からパビリオン３の装飾面３１を視認できる。
【００２４】
加えて、クラウン２の覗き面２１よりもパビリオン３の装飾面３１の方が小さいため、覗き面２１から宝石の内部に進入した光は、装飾面３１を囲って形成されたパビリオン３側の各ファセット３２に反射し、それが覗き面２１を囲って形成されたクラウン２側の各ファセット２２に反射し、パビリオン側ファセット３２とクラウン側ファセット２２との間で反射を繰り返すことで、宝石の内部に輝きを生じさせる。この結果、クラウン２の覗き面２１から視認されるパビリオン３の装飾面３１は、ファセット２２、３２による輝きの中に浮かび上がるように見える。
【００２５】
また、覗き面２１、装飾面３１及びガードル４の夫々の輪郭形状が、ハート形に形成されているので、クラウン２側から見ると、ハート形の覗き面２１の中に、宝石の外形（ガードル４の輪郭形状：ハート形）と同じ形状であるハート形の装飾面３１が、ファセット２２、３２による輝きの中に浮かび上がるように見える。
【００２６】
このように、本実施形態に係る宝石類のカット構造１によれば、これまでの概念を打ち破り、パビリオン３の下部からキューレットｃｕ（図４参照）を無くすことで新たな美的価値を作り出し、意外性や面白みを生じさせることができる。
【００２７】
（第２実施形態）
図３に本考案の第２実施形態に係る宝石類のカット構造１ａを示す。図３は、第２実施形態に係る宝石類のカット構造１ａを斜めから見た斜視図である。第２実施形態は、上述した第１実施形態と基本的な構成要素は同一であり、覗き面２１、装飾面３１及びガードル４の夫々の輪郭形状が、同じ向きの三日月形状に形成されている点が、第１実施形態と相違する。よって、第１実施形態と同一の構成要素には同一の符号を付して説明を省略する。
【００２８】
第２実施形態に係る宝石類のカット構造１ａの基本的な作用・効果は、前実施形態と同様であり、覗き面２１、装飾面３１及びガードル４の夫々の輪郭形状が三日月形状に形成されているので、クラウン２側から見ると、三日月形の覗き面２１の中に、宝石の外形（ガードル４の輪郭形状：三日月形）と同じ形状である三日月形の装飾面３１が、ファセット２２、３２による輝きの中に浮かび上がるように見える。
【００２９】
（その他の変形例）
上述した覗き面２１、装飾面３１及びガードル４の夫々の輪郭形状は、第１実施形態ではハート形とし、第２実施形態では三日月形としたが、これらの形に限られるものではなく、星形（スター形状）、丸形状、三角形状、四角形状、五角形以上の多角形状等でもよい。覗き面２１、装飾面３１及びガードル４の夫々の輪郭形状を等しくすることで、宝石の外形と同じ形の覗き面２１の中に、宝石の外形と同じ形の装飾面３１を、ファセット２２、３２による輝きの中に浮かび上がらせて見せることができる。なお、覗き面２１、装飾面３１及びガードル４の夫々の輪郭形状は、相似形であってもよいが、縦横の縮尺が多少異なっていても構わない。
【００３０】
第１及び第２実施形態では、覗き面２１、装飾面３１及びガードル４の夫々の輪郭形状を等しくしたが、これらは夫々異なっていてもよく、何れか１つが異なっていて残りの２つが同じ形状であってもよい。例えば、装飾面３１及びガードル４の夫々の輪郭形状をハート形とし、覗き面２１を四角形状としてもよい。この場合、四角形状の覗き面２１の中に、宝石の外形と同じハート形の装飾面３１が、ファセット２２、３２による輝きの中に浮かび上がって見えることになる。
【００３１】
第１及び第２実施形態では、覗き面２１と装飾面３１とを平行に形成したものを示したが、これに限られず、覗き面２１と装飾面３１とが平行ではなく斜めに形成されたものも本考案に含まれる。すなわち、装飾面３１は、覗き面２１と対向するようにパビリオン３に形成されるが、ここでの対向の概念には、装飾面３１と覗き面２１とが平行ではなく斜めとなっているものも含まれる。
【００３２】
第１及び第２実施形態においては、覗き面２１及び装飾面３１は、平面状（フラット）に形成されているが、少なくとも一方が、多少、外側に盛り上がるように又は内側に窪むように、或いは一方が盛り上がり他方が窪むように、形成されていても構わない。すなわち、覗き面２１及び装飾面３１の面の概念には、平面のみならず曲面も含まれる。例えば、覗き面２１を外側に凸レンズ状に盛り上がるように形成することで、装飾面３１が拡大されて見えるようにしてもよい。
【００３３】
本考案に係る宝石類のカット構造は、指輪、ペンダント、イヤリング等に用いられる宝石類に適用される。宝石類とは、天然宝石の他、処理宝石、合成宝石（人工宝石）、人造宝石、模造宝石等を含む概念である。
【００３４】
ここで、天然宝石とはカットや研磨を除き人の手が加わっていないものであり、処理宝石とは天然宝石に加熱処理、電磁波・放射線照射処理等を施したものであり、合成宝石とは天然宝石と同一の成分から科学的に作り出されたものであり、人造宝石とは天然宝石とは異なる物質を使用して作り出されたもの（キュービック・ジルコニア等）であり、模造宝石とはガラス、プラスチック等を使用して天然宝石を模したものである。
【産業上の利用可能性】
【００３５】
本考案は、上窄まりに形成されたクラウンと、下窄まりに形成されたパビリオンと、これらパビリオンとクラウンとの間に位置するガードルとを備えた宝石類のカット構造に利用できる。
【符号の説明】
【００３６】
１  宝石類のカット構造
１ａ  宝石類のカット構造
２  クラウン
２１  覗き面
２２  ファセット
３  パビリオン
３１  装飾面
３２  ファセット
４  ガードル
【図１】
0003172656.tif 000003
【図２】
0003172656.tif 000004
【図３】
0003172656.tif 000005
【図４】
0003172656.tif 000006